(57)【要約】【課題】ＤＶＤソフトケースを、販売店において又は購入者が整頓して展示や保存しておくためのＤＶＤソフトケース専用の展示具を提供すること。【解決手段】ＤＶＤソフトケース専用の合成樹脂製又は木製の展示具として、全体形状が矩形をなし、その枠体内径が該ソフトケースを摺接格納出来る寸法の内径縦１９２ｍｍ、内径横１３８ｍｍプラスマイナス３ｍｍ、枠体深さ１５ｍｍで、枠体表面の周囲には脱落防止のための約７．０ｍｍの縁取枠が形成されており、該枠体の裏面には複数の止金及び吊紐環並びに、下方には枠体を立てるピンを差し込む差込孔を備えてなるＤＶＤソフトケース専用展示具の構造。【選択図】図３
0003140744.tif 000002
【実用新案登録請求の範囲】
【請求項１】
展示具の構造において、ＤＶＤ（Ｄｉｇｉｔａｌ  Ｖｅｒｓａｔｉｌｅ  Ｄｉｓｋ）ソフトケース専用の合成樹脂製又は木製の展示具は、全体形状が矩形をなし、その枠体内径が該ソフトケースを摺接格納出来る寸法の、内径縦１９２ｍｍ、内径横１３８ｍｍプラスマイナス３ｍｍ、枠体深さ１５ｍｍで、枠体表面の周囲には脱落防止のための約７．０ｍｍの縁取枠が形成されており、該枠体の裏面には複数の止金及び吊紐環並びに、下方には枠体を立てるピンを差し込む差込孔を備えてなるＤＶＤソフトケース専用展示具。
【考案の詳細な説明】
【技術分野】
【０００１】  本考案は、一般に市販されているＤＶＤ（Ｄｉｇｉｔａｌ  Ｖｅｒｓａｔｉｌｅ  Ｄｉｓｋ）ソフトケース専用の展示具であって、販売店他一般の購買者がそれをウインドウに展示したり又はそれを購入して保存しておく際に、整然と処理するのに便利に使用できるＤＶＤソフトケース専用の展示具に関する。
【背景技術】
【０００２】  ＤＶＤソフトそのものは、近年市場に出てまだ間もない商品であって、種類として映画、音楽その他あらゆるものがＤＶＤソフト商品として販売店の店頭に陳列されている。それら販売店のウインドウでの状況を見る限り、その取り扱い面で、格別体裁を考慮しての展示方法でもなく、そのまま壁に立て掛けているか、積み上げられている現状を屡々目にする。【０００３】  ＤＶＤソフトについては、内容に基づいてケース表面に説明のための種々の写真や絵が描かれており、展示する上でスペースを占める場合には単に積み上げられて、その内容物を知るための障害ともなる。
【考案の開示】
【考案が解決しようとする課題】
【０００４】  本考案はその点に着目し、商品として今後益々販路の広がりを見せるであろうＤＶＤソフトを、販売店では如何に美しく魅力ある商品として購買欲をそそるように展示し、また、一般の購買者としては一種の装飾的効果を意図し、整頓して室内に保存出来る展示具を市場に出すことを課題として成されたものである。
【課題を解決するための手段】
【０００５】  その構成は、ＤＶＤ（Ｄｉｇｉｔａｌ  Ｖｅｒｓａｔｉｌｅ  Ｄｉｓｋ）ソフトケース専用の合成樹脂製又は木製の展示具は、全体形状が矩形をなし、その枠体内径が該ソフトケースを隙間なく摺接格納出来る寸法の内径縦１９２ｍｍ、内径横１３８ｍｍプラスマイナス３ｍｍ、枠体深さ１５ｍｍで、枠体表面の周囲には脱落防止のための約７．０ｍｍの縁取枠が形成されており、該枠体の裏面には複数の止金及び吊紐環並びに、下方には枠体を立てるピンを差し込む差込孔を備えてなるＤＶＤソフトケース専用展示具である。【０００６】  その展示具の寸法は、ＤＶＤソフトケースとして販売されているものに適合させて製作しているもので、枠体の裏面から該ケースを摺接はめ込んでやや緩みがあれば留め具を使用して納めるもので、現在市販されているＤＶＤソフトケースは縦が１９０ｍｍ、横が殆ど全てのものは１３４ｍｍで、若干数１４０ｍｍのものがあるが厚さは全て１５ｍｍである。【０００７】  したがって、枠体の寸法は縦１９２ｍｍ、横１３８ｍｍプラスマイナス３ｍｍ、枠体深さ１５ｍｍに製作する。その枠体の表面の縁には該ケースの離脱止めとして、数ｍｍ（実際には７ｍｍ）の縁取枠を形成しておく。その寸法は強度や製作容易さからその程度が好ましい。本考案品は表面のガラス板や裏面の止め板を使用する必要はなく安価を目途としている。【０００８】  この枠体の裏面には、左右でも上下でもＤＶＤソフトケースが離脱しないように適宜留金を取付け、高所にかける場合には紐を取り付ける吊紐環を取り付ける。また、枠体の裏面下部にはそれを立て掛けるピンを差し込むための差込孔を枠体面に対して約８０度前後の角度で下向きに開ける。
【考案の効果】
【０００９】  本考案に係るＤＶＤソフトケース展示用の枠体は、今店頭で見かけるケースに描かれているイラスト、絵、写真を美的意識のもとに各々を整理整頓して保存できるもので、調和のとれた好みの色彩で表装されるが、ＤＶＤソフトケースの絵柄に影響を与えないものであれば色彩には特段の制約はない。また、この展示具は表側にガラス板や裏面の止め板などを用いる必要もなく、極めて安価に製作できるので気楽に使用可能である。
【考案を実施するための最良の形態】
【００１０】  まず、求めたＤＶＤソフトケースの寸法は、縦１９０ｍｍ、横１３４ｍｍ、厚さ１５ｍｍであり、本考案で規定した範囲内の縦１９２ｍｍ、横１３５ｍｍ、深さ１５ｍｍの寸法に製作したＤＶＤソフトケース枠体に裏面から隙間なく摺接状態ではめ込むと、周囲が特にガタつくこともなくぴったりと納まった。必要なら裏面の留金で抑え、裏のピンで棚に立て掛けた。ピンの長さは差込孔の角度にもよるが６０ｍｍ〜８０ｍｍで、その材質は木、竹、真鍮などの金属でもよい。枠体の色彩は薄い若草色で、赤みの多いＤＶＤソフトケースの彩りによく調和して展示保存するのに有為であった。
【実施例】
【００１１】  実施例として、図面との対比において説明すると、図１は本考案の展示具の表面図で、図２は同裏面図、図３は図２のＡ−Ａ線の断面拡大図である。【００１２】  図１において、１０は展示具の枠体で、１１は枠体１０の内径で縦１９２ｍｍ、横１３８プラスマイナス３ｍｍで、２０は裏面から挿入されたＤＶＤソフトケースがはずれない様に形成されている縁取枠である。【００１３】  図２において、３０は枠体１０を立て掛けるために差し込む差込孔で枠体１０の裏表面に対して下向きに約８０度の傾斜をもつ。４０は壁などの高所に吊るすときの紐類を取り付ける吊紐環、５０は万が一ＤＶＤソフトケースが自然に脱落してしまう場合に使用する留金を示す。【００１４】  図３において、枠体１０は縁取枠２０と一体であり、木製の場合は枠体深さ１２を切削するか、枠体１０に縁取枠２０となる板を固着形成させてもよく、プラスチックは一体整形すればよい。その枠体深さ１２は１５ｍｍでＤＶＤソフトケースの厚さと同一とする。縁取枠巾２１は７ｍｍとし縁取枠厚さ２２も７ｍｍである。
【産業上の利用可能性】
【００１５】  ＤＶＤソフトは歴史的にみてもＯＡ機器の目ざましい進歩と連動して世上に出てきた商品で、今後も多岐にわたって商品の種類が増加して行くことと考えられ、販売店及び一般購買者における取り扱い上、美的感覚で商品を大事に整理整頓して保存する上で鑑賞と実益をかねた本考案の展示具の提供は安価で有益なものとして利用されると推測される。
【図面の簡単な説明】
【００１６】
【図１】本考案に係る枠体の表面図
【図２】本考案に係る枠体の裏面図
【図３】本考案に係る枠体の断面拡大図
【符号の説明】
【００１７】１０  枠体
１１  枠体内径
１２  枠体深さ
２０  縁取枠
２１  縁取枠巾
２２  縁取枠厚さ
３０  差込孔
４０  吊紐環
５０  留金
【図１】
0003140744.tif 000003
【図２】
0003140744.tif 000004
【図３】
0003140744.tif 000005